(57)【特許請求の範囲】
【請求項１】
羽根と、
前記羽根を回転させるための羽根用モータと、
前記羽根を上下首振りさせるための上下首振りモータと、
前記羽根を左右首振りさせるための左右首振りモータと、
を有する扇風機であって、
前記羽根を前面から覆う前ガードとして、扇風機モード用の前ガードとサーキュレータモード用の前ガードとを相互に交換可能に有し、
扇風機モード用の前ガードは、前ガードの中心から前ガードの周縁に直線状に延在する線状部材を有し、
サーキュレータモード用の前ガードは、前ガードの中心から前ガードの周縁に、前記羽根の回転方向と同一の方向に曲線状に延在するとともに、風の方向を規制するために所定の幅を有する帯状部材を有する、
扇風機。
【請求項２】
前記所定の幅は、５ｍｍ以上２０ｍｍ以下である、
請求項１に記載の扇風機。
【請求項３】
前記帯状部材は、前記羽根用モータの回転軸方向（ｘ方向）に、逆Ｓ字形状の断面を有する、
請求項１または２に記載の扇風機。
【発明の詳細な説明】
【技術分野】
【０００１】
本発明は、扇風機モードおよびサーキュレータモードの両方で使用可能な扇風機に関するものである。
【背景技術】
【０００２】
近年の扇風機は、上下首振り運転または左右首振り運転の一方による通常の扇風機モードの他に、上下首振り運転および左右首振り運転の両方を組み合わせたサーキュレータモードで動作することができる。サーキュレータモードでは、部屋の空気を撹拌（循環）し、夏の冷房効率および冬の暖房効率を向上させることができる。
例えば、特許文献１には、第１のステッピングモータ２６の動作を制御する左右首振り制御部４５と、第２のステッピングモータ２７の動作を制御する上下首振り制御部４６とをそれぞれ備え、上下方向に首振り可能かつ左右方向に首振り可能な扇風機が開示されている。
【先行技術文献】
【特許文献】
【０００３】
【特許文献１】特開２０１２−２３７２３８号公報
【発明の概要】
【発明が解決しようとする課題】
【０００４】
出願人は、扇風機モードおよびサーキュレータモードの両方で使用可能な扇風機について鋭意検討を行い、扇風機モードおよびサーキュレータモードのそれぞれについて、最適な前ガードの構成があることを発見し、本発明を完成するに至った。
本発明は、扇風機モード用の前ガードとサーキュレータモード用の前ガードとを相互に交換可能に有する扇風機を提供することを目的とする。
【課題を解決するための手段】
【０００５】
本発明の要旨は、以下のとおりである。
羽根と、
前記羽根を回転させるための羽根用モータと、
前記羽根を上下首振りさせるための上下首振りモータと、
前記羽根を左右首振りさせるための左右首振りモータと、
を有する扇風機であって、
前記羽根を前面から覆う前ガードとして、扇風機モード用の前ガードとサーキュレータモード用の前ガードとを相互に交換可能に有し、
扇風機モード用の前ガードは、前ガードの中心から前ガードの周縁に直線状に延在する線状部材を有し、
サーキュレータモード用の前ガードは、前ガードの中心から前ガードの周縁に曲線状に延在するとともに、風の方向を規制するために所定の幅を有する帯状部材を有する、
ことを特徴とする。
【０００６】
前記所定の幅は、５ｍｍ以上２０ｍｍ以下である、
ことが好ましい。
【図面の簡単な説明】
【０００７】
【図１】扇風機モードでの動作に適した本発明の扇風機を示す図である。
【図２】サーキュレータモードでの動作に適した本発明の扇風機を示す図である。
【図３】前ガードの取り付け方法を説明するための図である。
【図４】図３の断面図を示す図である。
【図５】クリップの詳細を示す図である。
【図６】前ガードの取り付け方法を説明するための図である。
【発明を実施するための形態】
【０００８】
以下、図面を参照しながら本発明の装置を詳細に説明する。
図１（ａ）は扇風機モードでの動作に適した本発明の扇風機の斜視図であり、図１（ｂ）は前ガードのｙｚ平面図であり、図１（ｃ）は前ガードを示す図であり、図１（ｄ）は前ガードの線状部材の断面図であり、図１（ｅ）は前ガードの変形例である。
図１（ａ）に示すように、本発明の扇風機１００は、羽根が収容されるファンガード１０と、ファンガード１０が取り付けられるモータケース部３０と、モータケース部３０を挟持する支持部４０と、支持部４０を上下にスライドするスライドパイプ５０と、スライドパイプ５０に接続された支柱５１と、支柱５１に接続されたベース６０と、ベース６０に設けられ、装置１００の動作を制御するための表示・操作パネル７０と、を有する。
図示を省略するが、モータケース部３０には、回転軸を中心に羽根を回転させるための羽根用モータと、羽根を上下首振りさせるための上下首振りモータと、が収容されている。モータケース部３０は、支持部４０の両側に配置された回動軸によって回動自在に支持され、上下首振り運転を行う。支持部４０は、スライドパイプ５０によって回動自在に支持され、支持部４０に収容された左右首振りモータにより左右首振り運転を行う。上下首振りモータおよび左右首振りモータは、例えば、ステッピングモータであり、一定角度（時間）回転したら、印加する電圧の極性を反転することで回転方向を反転する。
図示を省略するが、扇風機１００は、水平方向に対して上方向に約９０°（仰角約９０°）と、下方向に約１０°（俯角約１０°）と、の間で上下首振りモータにより上下首振り運転をすることができる。また、左右に約７０°（−７０°から＋７０°の間）で左右首振りモータにより左右首振り運転をすることができる。なお、上下方向および左右方向の首振り運転の角度は、この角度に限定されるものではない。
【０００９】
ファンガード１０は、羽根を前面から覆う、扇風機モード用の前ガード１０ａ１と、前ガード１０ａ１が取り付けられ、羽根を側面および後面から覆う後ガード１０ｂと、からなる。
図１（ｂ）（ｃ）に示すように、扇風機モード用の前ガード１０ａ１は、前ガードの中心１１から前ガードの周縁１２に、ｙｚ平面において直線状に延在する線状部材１３を有する。図１（ｄ）に示すように、線状部材１３の断面は略円形であるが、楕円形や面取りをした多角形も可能である。なお、線状部材１３は、図１（ｂ）に示すように、ｙｚ平面において直線状であることが重要であり、図１（ｅ）に示すように、扇風機モード用の前ガード１０ａ１は、凸状とすることもできる。
このような構成の扇風機モード用の前ガード１０ａ１を装着した扇風機１００では、図１（ａ）に矢印で示すように、前ガード１０ａ１の直径Ｄの幅以上で送風され、風は拡散し、比較的柔らかい。それゆえ、扇風機モード用の前ガード１０ａ１を装着した扇風機１００は、風がユーザの身体に直接向けられる扇風機モードでの動作に適している。また、扇風機モード用の前ガード１０ａ１では、線状部材１３の断面が略円形であるため、線状部材１３の風に対する抵抗が小さいく、静音性が向上する。
【００１０】
図２（ａ）はサーキュレータモードでの動作に適した本発明の扇風機の斜視図であり、図２（ｂ）は前ガードのｙｚ平面図であり、図２（ｃ）は前ガードを示す図であり、図２（ｄ）は前ガードの帯状部材の断面図であり、図２（ｅ）はファンガードのｙｚ平面図であり、図２（ｆ）は図２（ｅ）のＡ−Ａ断面図であり、図２（ｇ）（ｈ）は図２（ｆ）の一部拡大図である。
図２（ａ）の扇風機１００は、図１（ａ）の扇風機１００の扇風機モード用の前ガード１０ａ１をサーキュレータモード用の前ガード１０ａ２に交換した点以外は、図１（ａ）の扇風機１００と同一である。
図２（ｂ）（ｃ）に示すように、サーキュレータモード用の前ガード１０ａ２は、前ガードの中心１１から前ガードの周縁１２に、ｙｚ平面において曲線状に延在する帯状部材１４を有する。図２（ｄ）に示すように、帯状部材１４の断面は逆Ｓ字形状を有し、風の方向を規制するためにｘ方向に所定の幅Ｗを有する。所定の幅Ｗは、一般的な扇風機の大きさの場合（前ガードの直径Ｄが２０ｃｍ〜３５ｃｍ）、例えば、５ｍｍ以上２０ｍｍ以下である。５ｍｍ未満の場合、風の方向を規制する効果が弱く、２０ｍｍ超の場合、風に対する抵抗が大きすぎる。また、所定の幅Ｗは、８ｍｍ程度が好ましい。
このような構成のサーキュレータモード用の前ガード１０ａ２を装着した扇風機１００では、図２（ａ）にらせん状に示すように、前ガード１０ａ２の直径Ｄより小さい幅で送風され、風は拡散せず、指向性をもって遠くまで届く。それゆえ、サーキュレータモード用の前ガード１０ａ２を装着した扇風機１００は、風がユーザの身体に直接向けられるよりも、部屋の空気拡散（循環）のためのサーキュレータモードでの動作に適している。
【００１１】
本発明では、扇風機モードでの動作に最適な扇風機モード用の前ガード１０ａ１と、サーキュレータモードでの動作に最適なサーキュレータモード用の前ガード１０ａ２と、を相互に交換可能に有する扇風機により、それぞれのモードでの性能を向上することができる。また、ユーザは、扇風機モード用の前ガード１０ａ１とサーキュレータモード用の前ガード１０ａ２とを容易に交換することができる。
【００１２】
図３は、前ガードの取り付け方法を説明するための図である。
図３（ａ）に示すように、前ガード１０ａ２を後ガード１０ｂのくぼみに合わせて後ガード１０ｂに挿入する。図４（ａ）に、図３（ａ）のＡ−Ａ断面図を示すように、前ガード１０ａ２の突起部ｔが後ガード１０ｂの面ｓ１に接触する。
次に、図３（ｂ）に示すように、マークが合うように、前ガード１０ａ２を後ガード１０ｂに対して回転する。図４（ｂ）に、図３（ｂ）のＢ−Ｂ断面図を示すように、突起部ｔが後ガード１０ｂの面ｓ１とｓ２に挟まれる。なお、図示を省略するが、面ｓ２に凹部を設け、この凹部に嵌合する凸部を突起部ｔの面ｓ２と対向する面に設けることにより、前ガード１０ａ２と後ガード１０ｂとを「カチッ」という音とともに嵌合させることもできる。
次に、図３（ｃ）に示すように、クリップを止める。図５（ａ）〜（ｅ）に示すように、クリップｃには、前ガード１０ａ２および後ガード１０ｂの開口を貫通する舌部ｚが設けられている。また、クリップｃには、前ガード１０ａ２および後ガード１０ｂを固定するために、先端が鉤状に屈曲した２つの鉤部ｋが設けられている。
また、図６（ａ）には、前ガード１０ａ２を後ガード１０ｂに取り付けた状態のマーク部分の拡大図を示し（図３（ｂ）と実質的に同一）、図６（ｂ）には、前ガード１０ａ２を後ガード１０ｂに取り付ける前の状態の前ガード１０ａ２のツメ部分の拡大図を示す。前ガード１０ａ２のツメを後ガード１０ｂにはめ込む必要がある。
なお、サーキュレータモード用の前ガード１０ａ２の取り付け方法を説明してきたが、扇風機モード用の前ガード１０ａ１の取り付け方法も同一である。
【符号の説明】
【００１３】
１０            ファンガード
１０ａ１        扇風機モード用の前ガード
１０ａ２        サーキュレータモード用の前ガード
１０ｂ          後カード
３０            モータケース部
４０            支持部
５０            スライドパイプ
５１            支柱
６０            ベース
７０            表示・操作パネル
１００          扇風機
【要約】
【課題】扇風機モードおよびサーキュレータモードの両方で使用可能な扇風機を改良する。
【解決手段】羽根と、前記羽根を回転させるための羽根用モータと、前記羽根を上下首振りさせるための上下首振りモータと、前記羽根を左右首振りさせるための左右首振りモータと、を有する扇風機であって、前記羽根を前面から覆う前ガードとして、扇風機モード用の前ガードとサーキュレータモード用の前ガードとを相互に交換可能に有し、扇風機モード用の前ガードは、前ガードの中心から前ガードの周縁に直線状に延在する線状部材を有し、サーキュレータモード用の前ガードは、前ガードの中心から前ガードの周縁に曲線状に延在するとともに、風の方向を規制するために所定の幅を有する帯状部材を有する。
【選択図】図２−ａ【図１−ａ】
0005877923.tif 000002
【図１−ｂ】
0005877923.tif 000003
【図１−ｃ】
0005877923.tif 000004
【図１−ｄ】
0005877923.tif 000005
【図１−ｅ】
0005877923.tif 000006
【図２−ａ】
0005877923.tif 000007
【図２−ｂ】
0005877923.tif 000008
【図２−ｃ】
0005877923.tif 000009
【図２−ｄ】
0005877923.tif 000010
【図２−ｅｆｇｈ】
0005877923.tif 000011
【図３】
0005877923.tif 000012
【図４】
0005877923.tif 000013
【図５】
0005877923.tif 000014
【図６】
0005877923.tif 000015